(57)【要約】【課題】  周辺が静かな場所において撮影を行う場合、ズーム動作によるノイズの発生を防止する撮像装置及び方法を提供する。【解決手段】  被写体を撮像するズーム機構を備えた撮像レンズを所定の速度で駆動する通常モードと、当該通常モードよりもズーム時に発生する音を静音にする静音モードとを有する撮像装置であって、撮影時の周囲の音圧又は光量を測定する測定部と、当該測定部の測定結果に基づいて前記通常モード又は前記静音モードのどちらかを設定する制御部とを有することを特徴とする撮像装置を提供する。【選択図】      図１
2005176015.tif 000002
【特許請求の範囲】
【請求項１】
被写体を撮像するズーム機構を備えた撮像レンズを所定の速度で駆動する通常モードと、当該通常モードよりもズーム時に発生する音を静音にする静音モードとを有する撮像装置であって、
撮影時の周囲の音圧を測定する測定部と、
当該測定部の測定結果に基づいて前記通常モード又は前記静音モードのどちらかを設定する制御部とを有することを特徴とする撮像装置。
【請求項２】
被写体を撮像するズーム機構を備えた撮像レンズを所定の速度で駆動する通常モードと、当該通常モードよりもズーム時に発生する音を静音にする静音モードとを有する撮像装置であって、
前記撮影レンズを介して得られた撮影時の周囲の光量を測定する測定部と、
当該測定部の測定結果に基づいて前記通常モード又は前記静音モードのどちらかを設定する制御部とを有することを特徴とする撮像装置。
【請求項３】
被写体を撮像するズーム機構を備えた撮像レンズを所定の速度で駆動する通常モードと、当該通常モードよりもズーム時に発生する音を静音にする静音モードと、前記被写体を第１の照度において撮影するための第１のモードと、前記被写体を第１の照度よりも低い第２の照度において撮影するための第２のモードとを有する撮像装置であって、
前記第２のモードが設定された場合に前記静音モードを設定する制御部とを有することを特徴とする撮像装置。
【請求項４】
前記撮像装置は、
前記ズーム機構を駆動する駆動モーターと、
前記撮像レンズが撮影した光学像に対応するデータを電子的にズーミングする電子ズーム手段とを更に有し、
前記静音モードは、前記駆動モーターの駆動を禁止し、前記電子ズーム手段のみによるズーミングであることを特徴とした請求項１乃至請求項３のうちいずれか一項記載の撮像装置。
【請求項５】
前記撮像装置は、前記ズーム機構を駆動する駆動モーターとを更に有し、
前記静音モードは、前記駆動モーターによる光学ズームを減速することを特徴とした請求項１乃至３のうちいずれか一項記載の撮像装置。
【請求項６】
前記撮像装置は、前記撮像レンズが撮影した光学像に対応するデータを電子的にズーミングする電子ズーム手段とを更に有し、
前記静音モードは、前記電子ズーム手段を使用することを特徴とした請求項５記載の撮像装置。
【請求項７】
前記撮像レンズによる映像と前記静音モードが設定された旨を表示する表示部を更に有することを特徴とした請求項１乃至６のうちいずれか一項記載の撮像装置。
【請求項８】
被写体を撮像するズーム機構を備えた撮像レンズを所定の速度で駆動する通常モードと、当該通常モードよりもズーム時に発生する音を静音にする静音モードとを有する撮像装置を利用した撮影方法であって、
撮影時の周囲の音の大きさに関する情報を取得するステップと、
当該情報に基づいて前記通常モード又は前記静音モードのどちらかを設定するステップとを有することを特徴とする方法。
【請求項９】
前記音の大きさに関する情報は、音圧、光量及び当該光量に対して設定される撮影モードの少なくとも一つを含むことを特徴とする請求項８記載の方法。
【請求項１０】
前記設定ステップは、前記情報が設定値よりも小さければ前記静音モードを設定することを特徴とする請求項８又は９記載の方法。
【請求項１１】
前記設定ステップが前記静音モードを選択した場合、前記所定の速度よりも小さい速度で前記撮像レンズを駆動すると共に、前記撮像レンズが撮影した光学像を電子的にズーミングする倍率を制御して前記撮像レンズによる光学ズームの減速分を補うステップとを更に有することを特徴とした請求項８乃至１０のうちいずれか一項記載の方法。
【発明の詳細な説明】
【技術分野】
【０００１】
本発明は、一般には、撮像装置に係り、特に、ズーム機能を備えた撮像装置に関する。
【背景技術】
【０００２】
従来、撮像装置の中には、被写像を取り込む撮像レンズ群において光学的に被写体をズーミングするズーム機構を備えたものがあり、このズーム機構は一般に駆動モーターを動力として作動するように構成されている。このような撮像装置では、ズーミング動作によって駆動モーターが作動することにより駆動音や振動音（ノイズ）を発生する。録音機能を有するビデオカメラ等の撮像装置においては、特に周辺が静かな場所にて撮影を行う時にかかるノイズを録音してしまい、録音機能のない撮像装置でも、静粛が求められる場所での撮影ではかかるノイズは不向きである。この問題を回避する手段として、周辺が静かな場所においてはズーム動作を控えたり、ズーム機構を作動させるモーターの電圧を制御して回転数を低下させて静音化したり、光学ズームの変わりに電子ズームを使用することが考えられる。従来技術としては、例えば、特許文献１及び２がある。
【特許文献１】特開平５−２１２５号公報
【特許文献２】特開２００３−３４８４３４号公報
【発明の開示】
【発明が解決しようとする課題】
【０００３】
しかしながら、ユーザ自信がかかる操作を行うのは煩わしく、また、誤操作を招く。
【０００４】
そこで、本発明は、周辺が静かな場所において撮影を行う場合、ズーム動作によるノイズの発生を防止する撮像装置及び方法を提供することを例示的目的とする。
【課題を解決するための手段】
【０００５】
本発明の一側面としての撮像装置は、被写体を撮像するズーム機構を備えた撮像レンズを所定の速度で駆動する通常モードと、当該通常モードよりもズーム時に発生する音を静音にする静音モードとを有する撮像装置であって、撮影時の周囲の音圧又は光量を測定する測定部と、当該測定部の測定結果に基づいて前記通常モード又は前記静音モードのどちらかを設定する制御部とを有することを特徴とする。
【０００６】
本発明の別の側面としての測定装置は、被写体を撮像するズーム機構を備えた撮像レンズを所定の速度で駆動する通常モードと、当該通常モードよりもズーム時に発生する音を静音にする静音モードと、前記被写体を第１の照度において撮影するための第１のモードと、前記被写体を第１の照度よりも低い第２の照度において撮影するための第２のモードとを有する撮像装置であって、前記第２のモードが設定された場合に前記静音モードを設定する制御部とを有することを特徴とする。
【０００７】
前記撮像装置は、前記ズーム機構を駆動する駆動モーターと、前記撮像レンズが撮影した光学像に対応するデータを電子的にズーミングする電子ズーム手段とを更に有し、前記静音モードは、前記駆動モーターの駆動を禁止し、前記電子ズーム手段のみによるズーミングであってもよい。代替的に、前記静音モードは、前記駆動モーターによる光学ズームを減速してもよいし、更に、前記電子ズーム手段を併用してもよい。
【０００８】
前記撮像装置は、前記撮像レンズによる映像と前記静音モードが設定された旨を表示する表示部を更に有してもよい。
【０００９】
本発明の別の側面としての撮影方法は、被写体を撮像するズーム機構を備えた撮像レンズを所定の速度で駆動する通常モードと、当該通常モードよりもズーム時に発生する音を静音にする静音モードとを有する撮像装置を利用した撮影方法であって、撮影時の周囲の音の大きさに関する情報を取得するステップと、当該情報に基づいて前記通常モード又は前記静音モードのどちらかを設定するステップとを有することを特徴とする。前記音の大きさに関する情報は、例えば、音圧、光量及び当該光量に対して設定される撮影モードの少なくとも一つを含む。前記設定ステップは、前記情報が設定値よりも小さければ前記静音モードを設定してもよい。前記設定ステップが前記静音モードを選択した場合、前記所定の速度よりも小さい速度で前記撮像レンズを駆動すると共に、前記撮像レンズが撮影した光学像を電子的にズーミングする倍率を制御して前記撮像レンズによる光学ズームの減速分を補うステップとを更に有してもよい。
【００１０】
本発明の更なる目的又はその他の特徴は、以下、添付図面を参照して説明される好ましい実施形態によって明らかにされるであろう。
【発明の効果】
【００１１】
本発明によれば、周辺が静かな場所において撮影を行う場合、ズーム動作によるノイズの発生を防止する撮像装置及び方法を提供することができる。
【発明を実施するための最良の形態】
【００１２】
以下、添付図面を参照して、本発明の第１の実施形態の撮像装置（ビデオカメラ）１００について説明する。ここで、図１は、ビデオカメラ１００の概略ブロック図である。
【００１３】
まず、撮像信号の生成について説明する。図１において、レンズ部１０１はレンズ、ズーム機構、アイリス等を含み、被写体光を撮像部１０２に導く。ズームモータ１０４は光学ズーム制御部１０５から供給される制御信号によって制御され、ズーム機構を動作させる。撮像部１０２はＣＣＤを使って被写体を撮像し、得られた被写体光を電気信号に変換し、カメラ信号処理部１０３に出力する。カメラ信号処理部１０３は撮像部１０２により出力された信号に対してＡ／Ｄ変換、クランプ、γ補正、ホワイトバランス等、撮像された信号をテレビジョン信号に準拠した映像信号とするための周知の処理を施し、ビデオ信号処理部１０７に出力する。
【００１４】
ビデオ信号処理部１０７はカメラ信号処理部１０３からの映像信号に対してＤＣＴ、可変長符号化等の周知のブロック符号化を用いてその情報量を圧縮し、圧縮した映像信号を記録部１０９に、圧縮される前の映像信号を表示部１１０に出力する。記録部１０９はビデオ信号処理部１０７で圧縮した映像信号に対して同期、ＩＤ等の付加、誤り訂正符号化等の記録するための必要な処理を施し、記録に適した形態に変更し、記録媒体上に記録する。
【００１５】
表示部１１０は、ビデオ信号処理部１０７から非圧縮のアナログ信号化されたモニタリング可能な映像信号が供給され、映像のモニタが可能である。なお、本実施の形態では、カメラ信号処理部１０３からビデオ信号処理部１０７を介して表示部１１０に対してビデオ信号を出力したが、表示部１１０に入力する映像信号はビデオ信号処理部１０７を介さずに、カメラ信号処理部１０３からＤ／Ａ変換後に直接入力することも可能である。
【００１６】
このように記録された映像信号は再生モード時に記録部１０９により再生され、誤り訂正等の処理が施された後、ビデオ信号処理部１０７に出力される。ビデオ信号処理部１０７は再生信号を逆ＤＣＴ、可変長符号復号等の処理を施し、表示部１１０に出力する。
【００１７】
次に、音声信号の生成について説明する。マイク部１１１は集音し、得られた音声をマイクアンプ１１２に出力する。マイクアンプ１１２は、マイク部１１１により集音した音声信号を増幅し、オーディオ信号処理部１１５に出力する。オーディオ信号処理部１１５はマイクアンプ１１２により入力された音声信号に対してＡ／Ｄ変換、シャッフリング等の周知の処理を施し、記録部１０９に出力する。記録部１０９はオーディオ信号処理部１１５から入力された音声信号に対して誤り訂正等の処理を施して、記録媒体に記録する。このように記録された音声信号は再生モード時に記録部１０９により再生され、オーディオ信号処理部１１５に出力される。オーディオ信号処理部１１５は再生信号に記録時とは逆の処理、即ちデシャッフリング、Ｄ／Ａ変換等を施した後、アナログ化された再生信号をスピーカー１１３、ヘッドホンジャック（不図示）等に出力する。
【００１８】
ズーム機構は、光学ズーム機構と電子ズーム機構とを含み、システム制御部１０８によって後述する通常モードと静音モードが設定される。通常モードは、被写体を撮像するズーム機構を備えた撮像レンズを通常の速度で（又は速度制限なしに）駆動するモードであり、静音モードは、通常モードよりもズーム時に発生する音を静音にするモードである。
【００１９】
光学ズーム機構は、システム制御部１０８と、光学ズーム制御部１０５と、ズームモータ１０４とレンズ部１０１のズーム機構によって構成される。システム制御部１０８は光学ズーム制御部１０５を制御する。光学ズーム制御部１０５は、ズームモータ１０４の駆動（速度）及び停止を制御する。ズームモータ１０４は、レンズ部１０１のズーム機構（ズームレンズ）を例えば光軸方向に移動するなどして駆動する。
【００２０】
電子ズーム機構は、システム制御部１０８と、電子ズーム制御部１０６と、カメラ信号処理部１０３によって構成される。システム制御部１０８は電子ズーム制御部１０６を制御する。カメラ信号処理部１０３は、システム制御部１０８の制御下、電子ズーム制御部１０６から供給される制御信号によって電子ズーム処理を施す。電子ズームには、線形補間による連続倍率電子ズーム処理が含まれる。
【００２１】
ズーム機構においては、システム制御部１０８は、周囲の音の大きさに関する情報を取得する。音の大きさに関する情報は、音圧、光量及び当該光量に対して設定される撮影モードの少なくとも一つを含む。かかる情報をシステム制御部１０８に供給するモジュールも本実施形態のズーム機構を構成する。例えば、オーディオ信号処理部１１５はマイク部１１１及びマイクアンプ１１２が取得した周囲の音圧を測定する。カメラ信号処理部１０３は、レンズ部１０１が撮像した光量を測定する。システム制御部１０８は、図示しないメモリを有し、かかるメモリは設定値（閾値）を格納し、システム制御部１０８は、音の大きさに関する情報（音圧、光量）が所定の閾値よりも小さければ静音モードを設定して、静音モードの動作を光学ズーム制御部１０５及び電子ズーム制御部１０６に対して命令する。閾値は、実際の実験、シミュレーション、経験的に算出される。
【００２２】
また、ビデオカメラ１００が、後述するように、前記被写体を通常の照度において撮影するための通常撮影のモードと、前記被写体を低照度で撮影するための低照度撮影モードを有している場合に、選択された撮影モードとズームにおける通常モードと静音モードを関連付けてもよい。
【００２３】
表示部１１０は、後述するように、ズームのモードや撮影モードを表示してもよく、システム制御部１０８は操作部１１６を介してユーザが入力したズーム情報を知ることができる。
【００２４】
次に、ビデオカメラ１００の撮影時のモード設定動作について図２を参照して説明する。ここで、図２は、モード選択処理を示すフローチャートである。まず、システム制御部１０８は、撮影モードであるか否かを判断する（ステップＳ２０１）。システム制御部１０８は、撮影モードではないと判断すると処理を終了する。システム制御部１０８は、撮影モードであると判断すると（ステップＳ２０１）、オーディオ信号処理部１１５においてマイク部１１１から入力される音声レベル信号の時間的平均値を算出して音圧レベルの測定を開始する（ステップＳ２０２）。次に、システム制御部１０８は、測定した音圧レベルが低い音圧レベルであるかどうかを判断する（ステップＳ２０３）。システム制御部１０８は、低い音圧レベルであると判断すると（ステップＳ２０３）、ズーム動作による作動音がノイズとして記録されると共に周囲の人に不快感を与えてしまう可能性があるため、図３を参照して後述される静音モードを設定し（ステップＳ２０４）、ステップＳ２０１に帰還する。一方、システム制御部１０８は、低い音圧レベルではないと判断すると（ステップＳ２０３）、光学ズームスピードを制限しない通常モードを設定し（ステップＳ２０５）、ステップＳ２０１に帰還する。
【００２５】
次に、ステップＳ２０４で設定される静音モードについて図３及び図４を参照して詳しく説明する。ここで、図３は、静音モードの動作を示すフローチャートである。まず、システム制御部１０８は、図４に示すように、撮影映像を表示する表示部１１０に静音モード（Ｓｉｌｅｎｔ Ｍｏｄｅ）が設定された旨を表示４０１を行う（ステップＳ３０１）。これにより、ユーザはズーム制御モードを確認することができる。
【００２６】
次に、システム制御部１０８は、光学ズーム制御部１０５に光学ズームの禁止を通知し（ステップＳ３０２）、操作部１１６において光学ズームの操作が行われたか否かを判断する（ステップＳ３０３）。システム制御部１０８は、操作部１１６において光学ズームの操作が行われていないと判断すると処理を終了し、行われたと判断すると、カメラ信号処理部１０３に電子ズーム制御部１０６から供給される制御信号によって電子ズーム処理を行わせて（ステップＳ３０４）処理を終了する。
【００２７】
このように、本実施形態では、撮影時にマイク部１１１によって音圧測定を行い、周辺が静かな場所において撮影を行っていると判断された場合、自動的にズーム制御を静音モードに設定し、光学ズーム動作を禁止して電子ズーム処理を行うのでズーム動作による作動音がノイズとして記録されること、及び、ズームの作動音が周囲の人に騒音と不快感を与えることを防止することができる。
【００２８】
以下、図５及び図６を参照して、図３に示す静音モードの変形例について説明する。ここで、図５は、図３に示す処理の変形例のフローチャートである。図６（ａ）乃至（ｃ）は、それぞれ、総合ズーム倍率、光学ズーム倍率及び電子ズーム倍率における時間とズーム倍率との関係を示すグラフである。なお、本実施形態では、通常の光学ズームスピードは１倍から２０倍まで２秒で変化する設定とする。
【００２９】
まず、システム制御部１０８は、図４に示すように、撮影映像を表示する表示部１１０に静音モード（Ｓｉｌｅｎｔ Ｍｏｄｅ）が設定された旨を表示４０１を行う（ステップＳ５０１）。これにより、ユーザはズーム制御モードを確認することができる。
【００３０】
次に、システム制御部１０８は、操作部１１６において光学ズームの操作が行われたか否かを判断し（ステップＳ５０２）、行われていないと判断すれば処理を終了する。一方、システム制御部１０８は、操作部１１６において光学ズームの操作が行われたと判断すれば光学ズーム制御部１０５に通常のズームスピードよりも遅いズーム速度で動作するように命令する（ステップＳ５０３）。この結果、光学ズーム制御部１０５は、光学ズームを図６（ｂ）に示す通常スピードの１／２倍にあたる低速ズームスピードで動作させる。続いて、システム制御部１０８は、電子ズーム制御部１０６に対して光学ズームスピードの減速分を補う電子ズーム処理を行うように命令する（ステップＳ５０４）。この結果、電子ズーム制御部１０６は、電子ズーム倍率を図６（ｃ）に示すように変化させる。その結果、総合ズーム倍率は図６（ａ）に示すように、ズーム作動音を低く抑えながら、通常の光学ズームスピード同様に、１倍から２０倍に２秒で変化することになる。また、図６（ａ）において２秒から４秒の間の倍率は２０倍のままであるが、図６（ｃ）に示すように、電子ズーム倍率は徐々に減少するので、電子ズームによる画質の劣化を短時間に抑えることができる。システム制御部１０８は、ステップＳ５０４の後で処理を終了する。
【００３１】
このように、本実施形態では、撮影モード時にマイク部１１１によって音圧測定を行い、周辺が静かな場所において撮影を行っていると判断された場合、自動的に静音モードに設定し、光学ズームスピードを減速すると共に、電子ズーム倍率を制御して光学ズームの減速分を補うので、電子ズームによる画質劣化を抑えつつ、ズーム動作による作動音がノイズとして記録されること、及び、周囲の人に騒音と不快感を与えることを防止することができる。
【００３２】
以下、図７を参照して、図２に示すモード設定処理の変形例について説明する。ここで、図７は、図２に示す処理の変形例のフローチャートである。まず、システム制御部１０８は、撮影モードであるか否かを判断する（ステップＳ７０１）。システム制御部１０８は、撮影モードではないと判断すると（ステップＳ７０１）処理を終了する。
【００３３】
一方、システム制御部１０８は、撮影モードであると判断すると（ステップＳ７０１）、カメラ信号処理部１０３に被写体の明るさを測定するように命令する（ステップＳ７０２）。これに応答して、カメラ信号処理部１０３は、映像信号を輝度信号に変換した値を平均化することによって画面全体の平均輝度を算出し、その平均輝度の値とその撮影時の絞り値およびシャッタースピードの値から、その被写体の明るさを測定する。ステップＳ７０２で測定した光量レベルが低い光量レベルであるか否か判別する。
【００３４】
次に、システム制御部１０８は、測定した光量が設定値よりも低いかどうかを判断する（ステップＳ７０３）。システム制御部１０８は、低い光量であると判断すると（ステップＳ２０３）、ズーム動作による作動音がノイズとして記録されると共に周囲の人に不快感を与えてしまう可能性があるため、図３又は図５を参照して説明した静音モードを設定し（ステップＳ７０４）、ステップＳ７０１に帰還する。一方、システム制御部１０８は、低い光量レベルではないと判断すると（ステップＳ７０３）、光学ズームスピードを制限しない通常モードを設定し（ステップＳ７０５）、ステップＳ７０１に帰還する。これは、撮影環境が暗い時には夜間や室内等、静かな方が望ましいと考えられる場面の確率が高く、明るい場合には昼間の屋外のようにビデオカメラから生じる程度の音は問題ないような場面である確率が高いという経験則に基づくものである。
【００３５】
このように、本実施形態では、撮影モード時にカメラ信号処理部１０３において光量測定を行い、自動的にズーム制御を静音モードに設定するので、ズーム動作が静かな方が望ましいと考えられる撮影環境が暗い時にズーム動作の作動音を抑え、ノイズとして記録されること、及び、周囲の人に騒音と不快感を与えることを防止することができる。
【００３６】
以下、図８を参照して、図２に示すモード設定処理の更に別の変形例について説明する。ここで、図８は、図２に示す処理の更に別の変形例のフローチャートである。本実施形態のビデオカメラ１００は、低照度撮影に適したローライト撮影モードを備えている点で他の実施形態と異なる。
【００３７】
まず、システム制御部１０８は、撮影モードであるか否かを判断する（ステップＳ８０１）。システム制御部１０８は、撮影モードではないと判断すると（ステップＳ８０１）処理を終了する。
【００３８】
一方、システム制御部１０８は、撮影モードであると判断すると（ステップＳ８０１）、撮影モードが低照度撮影に適したローライト撮影モードであるかを判断する（ステップＳ８０２）。システム制御部１０８は、ローライト撮影モードであると判断すると（ステップＳ８０２）、ズーム動作による作動音がノイズとして記録されると共に周囲の人に不快感を与えてしまう可能性があるため、図３又は図５を参照して説明した静音モードを設定し（ステップＳ８０３）、ステップＳ８０１に帰還する。一方、システム制御部１０８は、ローライト撮影モードではないと判断すると（ステップＳ８０２）、光学ズームスピードを制限しない通常モードを設定し（ステップＳ８０４）、ステップＳ８０１に帰還する。これは、撮影モードが低照度撮影に適したローライト撮影モードの場合、夜間や室内等、静かな方が望ましい場面の確率が高いという経験則によるものである。
【００３９】
このように、本実施形態では、撮影モード時に低照度撮影に適したローライト撮影モード等の撮影モードであるか否か判別し、低照度撮影に適した撮影モードである場合、自動的にズーム制御を静音モードに設定するので、ズーム動作が静かな方が望ましいと考えられる低照度での撮影時にズーム動作の作動音を抑え、ノイズとして記録されること、及び、周囲の人に騒音と不快感を与えてしまうことを防止することができる。
【００４０】
以上説明したように、本発明によれば、周辺が静かな場所において撮影を行う場合、自動的に光学ズームと電子ズームを制御してズーム動作による作動音を低く抑えることが可能となるので、ズーム動作による作動音がノイズとして記録されるのを防ぐと共に、ズームの作動音が周囲の人に不快感を与えてしまうことを防ぐことが可能となる。
【００４１】
以上、本発明の好ましい実施形態について説明したが、本発明はこれらの実施形態に限定されず、その要旨の範囲内で種々の変更及び変形が可能である。例えば、本発明の撮像装置は、動画記録時に音声記録も同時に行う音声付動画記録モードと、動画記録時に音声記録を行わない音声なし動画記録モードを選択可能であってもよい。
【図面の簡単な説明】
【００４２】
【図１】本発明の一実施形態の撮像装置の概略ブロック図である。
【図２】図１に示す撮像装置による撮影におけるモード選択を説明するためのフローチャートである。
【図３】図２のフローチャートで設定される静音モードの詳細を説明するためのフローチャートである。
【図４】図３に示すフローチャートで図１に示す撮像装置の表示部に表示される画面の一例を示す図である。
【図５】図３に示すフローチャートの変形例である。
【図６】図５に示す処理におけるズーム倍率と時間との関係を示すグラフである。
【図７】図２に示すフローチャートの変形例である。
【図８】図２に示すフローチャートの更に別の変形例である。
【符号の説明】
【００４３】
１００                          撮像装置
１０１                          レンズ部
１０３                          カメラ信号処理部
１０４                          ズームモータ
１０５                          光学ズーム制御部
１０６                          電子ズーム制御部
１０８                          システム制御部
１１０                          表示部
１１１                          マイク部
１１５                          オーディオ信号処理部
１１６                          操作部
【図２】
2005176015.tif 000003
【図４】
2005176015.tif 000004
【図７】
2005176015.tif 000005
【図８】
2005176015.tif 000006
【図１】
2005176015.tif 000007
【図３】
2005176015.tif 000008
【図５】
2005176015.tif 000009
【図６】
2005176015.tif 000010